(57)【要約】【課題】本発明は、汚物の廃棄・洗浄作業に関する視認性、作業性に優れたオストメイト用汚物流しを提供する。【解決手段】多目的トイレに備えられるオストメイト用汚物流しであって、下部に封水部を有するボウルと、前記ボウルの上部開口付近の内壁に設けられた水栓と、を備えること、を特徴とするオストメイト用汚物流しが提供される。【選択図】図１
2008284044.tif 000002
【特許請求の範囲】
【請求項１】
多目的トイレに備えられるオストメイト用汚物流しであって、
下部に封水部を有するボウルと、
前記ボウルの上部開口付近の内壁に設けられた水栓と、
を備えること、を特徴とするオストメイト用汚物流し。
【請求項２】
前記ボウルの開口縁部に設けられたリム部と、を備え、
前記リム部の内壁面は、前記ボウルの内壁面となだらかに連接すること、を特徴とする請求項１記載のオストメイト用汚物流し。
【請求項３】
前記リム部の内壁面には、前記ボウル内に噴出された水の旋回流を形成させる案内部が設けられていること、を特徴とする請求項１または２記載のオストメイト用汚物流し。
【請求項４】
前記水栓は、吐水ヘッドと、
前記吐水ヘッドに接続された可撓性のホースと、
前記ホースが収納される水栓取り付け部と、を備え、
前記ホースが前記吐水ヘッドとともに前記水栓取り付け部から引き出され、前記ボウルの上部開口付近で前記吐水ヘッドから吐水をさせる場合において、前記ホースは、前記封水部の封水に触れない長さであること、を特徴とする請求項１〜３のいずれか１つに記載のオストメイト用汚物流し。
【請求項５】
前記ボウルの前面は、下方になるに従い前記前面と対向する側の面に近づくように傾斜していること、を特徴とする請求項１〜４のいずれか１つに記載のオストメイト用汚物流し。
【請求項６】
前記ボウルの側面は、前記ボウルの軸線に略平行な平面であること、を特徴とする請求項１〜５のいずれか１つに記載のオストメイト用汚物流し。
【請求項７】
前記ボウルの前記前面と対向する側の面には、開口縁部に連接する傾斜面が設けられ、前記傾斜面には前記水栓を取り付けるための孔が設けられていること、を特徴とする請求項１〜６のいずれか１つに記載のオストメイト用汚物流し。
【請求項８】
前記傾斜面には、前記ボウル内に水を噴出させるフラッシュバルブの操作部が設けられていること、を特徴とする請求項１〜７のいずれか１つに記載のオストメイト用汚物流し。
【発明の詳細な説明】
【技術分野】
【０００１】
本発明は、人工肛門や人工膀胱などの保持者である「オストメイト」と呼ばれる人々が使用する多目的トイレに備えられるオストメイト用汚物流しに関する。
【背景技術】
【０００２】
人工肛門や人工膀胱などの保持者であるオストメイトと呼ばれる人々は、身体の腹部に排泄物（以下、汚物という）を溜めておくための袋、いわゆるパウチを装着しており、時折、トイレにおいて溜まった汚物を廃棄したり、パウチの内面、ストーマ（腹部に造設された排泄口）、ストーマ付近の腹部などに付着した汚物を洗い流すなどの作業を行う必要がある。
【０００３】
近年、オストメイトと呼ばれる人々が外出先で気兼ねをすることなくこれらの作業を行うことのできる施設（以下、多目的トイレという）の設置が進められている。    
この多目的トイレには、大便器とは別に専用のオストメイト用汚物流しが設けられており、オストメイト用汚物流しのボウルの上方には、シャワーユニットを備えた水栓、ボウルに投入された汚物を排出させるためのフラッシュバルブ、液体石鹸供給器などが設けられている（特許文献１を参照）。
【０００４】
ここで、オストメイトが汚物を廃棄したり、付着した汚物を洗い流したりする場合には、腹部をボウルに近接させてこれらの作業を行うが、ボウルの上方に水栓などを設けるようにすれば、目の位置と、廃棄・洗浄作業をする位置との間に水栓などが介在することになる。そのため、水栓などにより視線が遮られて作業の視認性が損なわれる場合もあった。
【特許文献１】特開２００４−２８３３９４号公報
【発明の開示】
【発明が解決しようとする課題】
【０００５】
本発明は、汚物の廃棄・洗浄作業に関する視認性、作業性に優れたオストメイト用汚物流しを提供する。
【課題を解決するための手段】
【０００６】
本発明の一態様によれば、多目的トイレに備えられるオストメイト用汚物流しであって、下部に封水部を有するボウルと、前記ボウルの上部開口付近の内壁に設けられた水栓と、を備えること、を特徴とするオストメイト用汚物流しが提供される。
【発明の効果】
【０００７】
本発明によれば、汚物の廃棄・洗浄作業に関する視認性、作業性に優れたオストメイト用汚物流しが提供される。
【発明を実施するための最良の形態】
【０００８】
以下、図面を参照しつつ、本発明の実施の形態について説明をする。    
図１は、本発明の実施の形態に係るオストメイト用汚物流しを例示するための模式斜視図である。    
図１に示すように、オストメイト用汚物流し１には、多目的トイレの壁面または多目的トイレの壁面に設けられたライニング６に設置されるボウル２、ボウル２の上部開口付近の内壁に設けられた水栓３、液体石鹸供給器４、フラッシュバルブの操作部５などが備えられている。
【０００９】
図２は、ボウル２を例示するための模式図であり、図２（ａ）は模式平面図、図２（ｂ）は模式正面図である。      
また、図３は、図２（ｂ）におけるＡ−Ａ矢視断面図である。    
ボウル２は、例えば、陶器、合成樹脂、合成樹脂にセラミック材、陶器粉を混入させたものなどからなるものとすることができる。
【００１０】
図２、図３に示すように、ボウル２は、汚物の洗浄や投入がしやすいように上面が大きく開口され、前面１０にはリップ部８が設けられている。リップ部８は、背の高いオストメイトであってもこのリップ部８に腹部を押し当てて容易に汚物の処理ができるような形状となっている。すなわち、オストメイトが前かがみになり腹部をリップ部８に押し当てた状態で汚物を処理している最中に汚物が漏出しても汚物がボウル２の中に自然に入っていくように、ボウル２の外側に向けて凸状に湾曲した形状となっている。
【００１１】
また、リップ部８は、ボウル２の溢れ面を形成している。ここでいう溢れ面とは、ボウル２の排水部９が詰まった時などに、ボウル２の外に汚水が流れ出す面のことである。このような溢れ面が形成されていると、排水部９が詰まるという異常事態が起きても、汚水は溢れ面から外に流れ出すので、他の部分が汚れることを抑制することができる。本実施の形態においては、図３に示すように、ボウル２の上面形状が前面１０の方向（オストメイトが作業する側）に向けて下方傾斜をしているため前面１０の側にあるリップ部８の高さが上面では一番低くなり、リップ部８が溢れ面となる。そのため、排水部９が詰まるという異常事態が起きても、汚水が多目的トイレの壁面または多目的トイレの壁面に設けられたライニング６側に流れ出ることがなく、多目的トイレの壁面やライニング６などが汚れるのを抑制することができる。
【００１２】
また、ボウル２の前面１０（オストメイトが作業する側の面）は、下方になるに従いボウル２の背面側（前面１０と対向する側の面）に近づくような方向に傾斜をしている。そのため、図３に示すように、ボウル２の下部に空間１１が形成されるようになる。そして、この空間１１に膝などを入れることで、オストメイトが前かがみになり腹部をリップ部８に押し当てた状態で汚物の廃棄や洗浄などの作業をすることが容易となる。
また、ボウル２の側面１２ａ、側面１２ｂはボウル２の軸線に略平行な平面となっている。そのため、側面１２ａ、側面１２ｂを膝などで抱きかかえるようにして挟むこともできる。そして、側面１２ａ、側面１２ｂを膝などで挟むことができれば、オストメイトが前かがみになり腹部をリップ部８に押し当てた状態で汚物の廃棄や洗浄などの作業をする際の作業の安定性を向上させることができる。
【００１３】
図３に示すように、ボウル２の下部には封水部１３が設けられている。そして、ボウル２の内部と排水部９とを封水部１３を介して連通させることで、悪臭の発生を抑制しつつ汚物の排出ができるようになっている。尚、排水部９は図示しない排水管と接続されており、汚物が外部（例えば、下水管など）に排出できるようになっている。
ボウル２の前面１０と対向する側の面には、開口縁部に連接する傾斜面１５が設けられている。また、傾斜面１５には、水栓３、液体石鹸供給器４、フラッシュバルブの操作部５などを取り付けるための孔１４が設けられている。そして、孔１４に取り付けられた水栓３、液体石鹸供給器４、フラッシュバルブの操作部５などの上端部分が、オストメイトが作業する側（前面１０の側）の上方に向けて突出するようになっている。そのため、水栓３などを操作する際の作業性を向上させることができる。また、水栓３、液体石鹸供給器４などの吐水口をボウル２の内部に位置するようにすることができるので、オストメイトが汚物の廃棄や洗浄などの作業を行う際に汚物がボウル２の外部に飛び散ることを抑制することができる。
【００１４】
尚、傾斜面１５は必ずしも必要ではなく、水栓３などをボウルの上部開口付近の内壁（例えば、略垂直な内壁）に備えるようにすることもできる。ただし、傾斜面１５を設けて、そこに水栓３などを備えるものとすれば、前述したように水栓３などを操作する際の作業性を向上させることができる。
【００１５】
また、液体石鹸供給器４、フラッシュバルブの操作部５は、必ずしも傾斜面１５に備えられている必要はない。例えば、ボウル２の上方の多目的トイレの壁面やライニング６などに備えるようにすることもできる。ただし、これらを傾斜面１５に備えるようにすれば、移動を伴わずともこれらのものに手が届くので、オストメイトにとって使い易いシステムとすることができる。
【００１６】
本実施の形態においては、このようにボウル２の背面側の上部開口付近の内壁に水栓３などの装置を備えるようにしているため、オストメイトが行う汚物の廃棄や洗浄などの作業の高さ方向位置と水栓３などの装置の高さ方向位置とを近接させることができる。すなわち、作業位置と作業に用いられる水栓３などの位置とを同一平面に近い状態とすることができる。そのため、オストメイトの目の位置と、廃棄・洗浄作業をする位置との間に水栓３などが介在することを極力抑制することができる。その結果、オストメイトの視線が遮られないので作業の視認性を大幅に向上させることができる。また、作業位置と作業に用いられる水栓３などの位置とが同一平面に近い状態にあるので、水栓３などの装置同士の間の隙間（例えば、水栓３と液体石鹸供給器４との間の隙間、水栓３とフラッシュバルブの操作部５との間の隙間）を通して作業を視認することも容易となる。
【００１７】
また、水栓３、液体石鹸供給器４、フラッシュバルブの操作部５などの装置をボウル２に直接設けるようにしているため、オストメイト用汚物流し１の設置スペースを少なくすることもできる。オストメイトが使用をするオストメイト用汚物流し１は、駅のトイレや街の公衆トイレなどのパブリックスペースに設置されることが多い。また、通常のトイレの大便器が設置されるような個室にも設置されることを考慮することが好ましい。このような、パブリックスペースなどでは、比較的狭いスペースしか確保できない場合もあるが、本実施の形態に係るオストメイト用汚物流し１はそのような場所にも設置が可能となる。
【００１８】
図４は、比較例に係るボウルを例示するための模式断面図である。      
ボウル１２０上部の開口縁部には、リム部１２１が設けられ、リム部１２１の内部にはリム通水路１２２が設けられている。また、リム部１２１はボウル１２０の内部に向けて張り出すようにして設けられ、リム部１２１の下面１２１ａにはリム通水路１２２に連通する複数の吐水口１２１ｂが設けられている。リム通水路１２２は図示しない給水口を介して、これも図示しない水タンクなどの給水源と接続されている。そのため、図示しないフラッシュバルブなどを操作することにより、水タンクなどの給水源から水道水などの水がリム通水路１２２に供給され、吐水口１２１ｂからボウル１２０の内部に向けて吐水されるようになっている。
【００１９】
このようなリム部１２１が設けられたボウル１２０においては、オストメイトが汚物の廃棄や洗浄などの作業を行う際に、汚物がリム部１２１の下面１２１ａに付着するおそれがある。この場合、付着した汚物は吐水口１２１ｂからの吐水だけでは除去することができず、別途清掃作業をする必要がある。
【００２０】
本発明者は検討の結果、リム部１２１の下面１２１ａのように汚物が付着しやすく、また、除去と清掃がし難い部分を無くすようにすれば、清掃の手間を削減することができ、また、衛生面の観点からも好ましいとの知見を得た。
【００２１】
図３に示すように、本発明の実施の形態に係るボウル２にも上部の開口縁部にリム部１６が設けられている。ただし、リム部１６の内壁面は、ボウル２の内壁面となだらかに連接するようになっている。また、リム部１６の内壁面には、ボウル２内に噴出された水の旋回流を形成させるための案内部１６ａが設けられている。尚、案内部１６ａはその断面を凹状として、旋回流を形成させやすくすることもできる。
ボウル２には、案内部１６ａに向けて水道水などの水を噴出する噴出口１６ｂが設けられ、噴出口１６ｂには図示しない水タンクなどの給水源が接続されている。また、フラッシュバルブの操作部５を操作することにより、水タンクなどの給水源から水道水などの水が噴出口１６ｂを介して案内部１６ａに噴出されるようになっている。そして、水道水などの水は、噴出口１６ｂから水平方向に噴出され、噴出された水は案内部１６ａに沿ってボウル２の上縁部分をほぼ一周旋回しながら、ボウル２の壁面などに付着した汚物を封水１３の内へ流し込む。すなわち、ボウル２内に噴出された水は案内部１６ａに沿うようにして旋回流を形成し、ボウル２の壁面などに付着した汚物を除去しつつ封水１３の内へ流込む。封水１３の中に流れ込んだ汚物はボウル２内に噴出された水とともに排水部９から外部に排出される。
【００２２】
本実施の形態におけるリム部１６の内壁面は、ボウル２の内壁面となだらかに連接するようになっている。そのため、図４に示したもののように、ボウル２の内部に向けて張り出している部分を有していない。その結果、リム部１２１の下面１２１ａのように汚物が付着しやすく、また、除去と清掃がし難い部分が存在しない。また、汚物が付着、残留しやすいボウル２の上部には、洗浄と排出のための旋回流を形成させるようにしているので、ボウル２内に付着、残留する汚物を大幅に低減させることができる。そのため、清掃の手間を削減することができ、また、衛生面にも優れたオストメイト用汚物流し１とすることができる。
【００２３】
図５は、水栓３を例示するための模式斜視図である。        
水栓３には、水道水などの水を吐水させるための吐水ヘッド１９と、吐水ヘッド１９に接続された可撓性のホース１７と、ホース１７の収納と引き出しが可能な水栓取り付け部１８と、が設けられている。吐水ヘッド１９は、水栓取り付け部１８からホース１７とともに引き出して使用することができ、水道水などの水を所望の位置や向きで吐水させることができる。吐水ヘッド１９が水栓取り付け部１８に装着されている状態では、水がボウル２内に落下しやすいように、吐水ヘッド１９は若干前向きに傾斜して設置されている。
【００２４】
そして、吐水ヘッド１９を引き出さない状態での吐水方向が、ボウル２の内壁部に向かうようになっている。そのため、吐水ヘッド１９が引き出されていない状態で吐水をすれば、ボウル２の内壁が常に洗い流され衛生面に優れたオストメイト用汚物流し１となっている。また、吐水ヘッド１９が水栓取り付け部１８に装着されているままでもパウチ内などの洗浄がしやすいようにもなっている。また、吐水ヘッド１９を引き出すことで、オストメイトが服を脱いでストーマやストーマ周辺を洗浄したり、ボウル２内部を局所的に洗浄したりすることがしやすいようにもなっている。
【００２５】
また、水栓３は、いわゆるスイッチ水栓とすることができる。そのため、水栓３のヘッド部２０を押すことで吐水をさせることができ、再度ヘッド部２０を押すことで吐水を停止させることができる。吐水ヘッド１９は、シャワー状の吐水をさせるものとすることができるが、これに限定されるわけではなく、適宜変更することができる。
また、水洗３の操作部を別途設けるようにすることもできる。例えば、図１に示したフラッシュバルブの操作部５の代わりに水洗３の操作部を設けるようにすることができる。この場合も、操作部を押すことで吐水をさせることができ、再度操作部を押すことで吐水を停止させるようにすることができる。
【００２６】
ホース１７が吐水ヘッド１９とともに水栓取り付け部１８から引き出され、ボウル２の上部開口付近で吐水ヘッド１９から吐水をさせる場合において、ホース１７の撓んだ部分が封水部１３の封水に触れないようなホース１７の長さとすることが好ましい。    
また、水栓取り付け部１８にホース１７を収納させやすいようにするため、ホース１７の収納（水栓取り付け部１８への引き込み）を助長する図示しない付勢手段を設けるようにすることもできる。
【００２７】
本実施の形態においては、ボウル２の背面側の上部開口付近に水栓３を設けるようにしているため、オストメイトが行う洗浄作業の位置と水栓取り付け部１８の位置とを近接させることができる。そのため、水栓取り付け部１８からの吐水ヘッド１９の引き出し量を少なくすることができ、その分、引き出されるホース１７の長さを短くすることができる。その結果、ホース１７のたわみ量をも少なくすることができ、撓んだホース１７が封水部１３に触れることを防止することができる。
【００２８】
尚、図示しない電気温水器を備え水栓３から温水を吐水可能としたり、温水と水道水などの水との混合割合を調整するための調整手段を設けて水栓３から吐水させる水の温度を調整するようにすることもできる。
【００２９】
また、水栓３の配管には図示しないバキュームブレーカを設けるようにすることができる。バキュームブレーカは、ボウル２のリップ部８よりも上方に位置するようにして設けられる。そのようにすれば、汚水がバキュームブレーカの空気取り入れ口から侵入したり、吐水ヘッド１９を汚物などで汚してしまったような場合でも上流側（水道水側）が汚されるのを抑制することができる。バキュームブレーカとしては、スイング弁を用いたものやダックビルを用いたものなどを採用することができる。
【００３０】
図６は、フラッシュバルブを例示するための模式図である。      
フラッシュバルブ２１は、ボウル２の内壁に付着した汚物などを水圧を利用して一気に洗い流すためのものであり、前述したように、操作部５を操作することにより、水タンクなどの給水源からの水が汚物流し用水配管２４を介して噴出口１６ｂから案内部１６ａに噴出されるようになっている。
【００３１】
また、フラッシュバルブ２１の下部（下流側）には、バキュームブレーカ２２が設けられており、フラッシュバルブ２１の左側部は上流側の水配管２３と接続されている。そして、水配管２３は図示しない水タンクなどの給水源と接続されている。
【００３２】
また、バキュームブレーカ２２は、ボール部２のリップ部８よりも上方に位置するようにして設けられている。そのようにすれば、汚水がバキュームブレーカの空気取り入れ口から侵入したり、上流側（水道水側）が汚物などにより汚されたりすることを抑制することができる。バキュームブレーカとしては、スイング弁を用いたものやダックビルを用いたものなどを採用することができる。
液体石鹸供給器４は、少量の液体石鹸を吐出可能とするものであり、図示しない液体石鹸を収容するためのタンクや吐出手段などを備えている。尚、液体石鹸供給器４は、必ずしも必要ではなく省くこともできるが、公衆衛生の観点からは設けられていた方が好ましい。また、液体石鹸供給器４の変わりに、あるいは液体石鹸供給器４とともに、消毒液供給器などを設けるようにすることもできる。
【００３３】
また、多目的トイレの壁面または多目的トイレの壁面に設けられたライニング６にトイレットペーパーホルダ７を設けるようにすることもできる。例えば、図１に示すように、ボール部２の側方にトイレットペーパーホルダ７を設けるようにすることができる。
【００３４】
また、ストーマ及びその周辺を視認することなどに用いる半固定鏡、衣類をかけるためのフック、荷物や着替えなどを置くための棚や台などを適宜設けるようにすることもできる。
【００３５】
次に、オストメイト用汚物流し１の作用について説明をする。        
オストメイトは、身体に装着していたパウチを外して、水栓３から吐水される水でこのパウチの内部を洗浄したり、ストーマ及びその周辺を洗浄したりする。この際、図５に示したように、吐水ヘッド１９を水栓取り付け部１８から引き出して吐水をさせるようにすることができる。  
本実施の形態に係るオストメイト用汚物流し１においては、前述したように、ホース１７の撓み量を少なくすることができるので、撓んだホース１７が封水部１３に触れることを防止することができる。そのため、洗浄作業の作業性を向上させることができるのみならず、衛生的でもある。
【００３６】
尚、図示しない半固定鏡を用いてストーマ及びその周辺を視認しながら洗浄を行うこともできるし、冬場などにおいては、水栓３から所望の温度の温水を吐水させることもできる。また、液体石鹸供給器４から液体石鹸を出して、手やパウチなどの洗浄を行うこともできる。
【００３７】
また、前述したように、吐水ヘッド１９を引き出さない状態での吐水方向が、ボウル２の内壁部に向かうようになっている。そのため、吐水ヘッド１９が引き出されていない状態で吐水をすれば、ボウル２の内壁が常に洗い流され衛生的である。
【００３８】
こうした汚物の廃棄・洗浄作業を行っている最中に、例えば、汚物がストーマから勢い良く飛び出したり、パウチ内やストーマ廻りの汚物の量、状態、洗い方などによって汚物が周囲に飛び散ったりして、不本意にも周辺を汚してしまうことがある。このような場合、例えば、図４に示した比較例のようにボウルの内部に向けて張り出している部分を有しているものとすれば、除去と清掃がし難いリム部１２１の下面１２１ａに汚物が付着してしまうおそれがある。
【００３９】
これに対し、本実施の形態に係るオストメイト用汚物流し１は、ボウル２の内部に向けて張り出している部分を有していないため、張り出している部分の下面に付着、残留するような汚物を無くすことができる。また、汚物が付着、残留しやすいボウル２の上部には、洗浄と排出のための旋回流を形成させるようにしているので、ボウル２内に付着、残留する汚物を大幅に低減させることができる。その結果、清掃の手間を削減することができるのみならず、衛生的でもある。
【００４０】
次に、ストーマ及びその周辺を洗った後、トイレットペーパーなどでストーマやその周辺に付いた水を拭き取り、新しいパウチをストーマに装着する。  
次に、操作部５を押し、フラッシュバルブ２１を作動させてボウル２の内壁面を洗い流すとともに、排水部９を介して汚物をボウル２の外部に一気に排出させる。この際、吐水ヘッド１９からも吐水をさせてボウル２の内壁を洗い流すようにすることもできるし、吐水ヘッド１９を水栓取り付け部１８から引き出して吐水をさせることで、ボウル２の各所などを洗浄することもできる。
【００４１】
本実施の形態に係るオストメイト用汚物流し１においては、洗浄などの作業位置と作業に用いられる水栓３などの位置とを同一平面に近い状態とすることができる。そのため、オストメイトの目の位置と、廃棄・洗浄作業をする位置との間に水栓３などが介在することを極力抑制することができる。その結果、オストメイトの視線が遮られないので作業の視認性を大幅に向上させることができる。また、作業位置と作業に用いられる水栓３などの位置とが同一平面に近い状態にあるので、水栓３などの装置同士の間の隙間（例えば、水栓３と液体石鹸供給器４との間の隙間、水栓３とフラッシュバルブの操作部５との間の隙間）を通して作業を視認することも容易となる。    
また、これら一連の作業において必要となるもの、例えば、水栓３、液体石鹸供給器４、フラッシュバルブ２１の操作部５がボウル２に直接設けられている。また、トイレットペーパーホルダー７などもボウル２に近接させるようにして設けられている。そのため、移動を伴わずとも各装置に手が届くので、オストメイトにとって使い易いシステムとなっている。また、オストメイト用汚物流し１の設置スペースを少なくすることもできる。
また、本実施の形態に係るボウル２は、そのリップ部８がボウル２の外側に向けて凸状に湾曲した形状をしている。そのため、背の高いオストメイトであってもリップ部８に腹部を押し当てやすく、容易に汚物の廃棄や洗浄をすることができる。
【００４２】
また、ボウル２の前面１０（オストメイトが作業する側の面）は、下方になるに従いボウル２の背面側（前面１０対向する側の面）に近づくような方向に傾斜をしている。この傾斜により形成される空間１１に膝などを入れることで、オストメイトが前かがみになり腹部をリップ部８に押し当てた状態での汚物の廃棄や洗浄が容易となる。
【００４３】
また、ボウル２の側面１２ａ、側面１２ｂはボウル２の軸線に略平行な平面となっている。そのため、側面１２ａ、側面１２ｂを膝などで挟むことができ、オストメイトが前かがみになり腹部をリップ部８に押し当てた状態での汚物の廃棄や洗浄作業の安定性を図ることができる。
【００４４】
以上、本発明の実施の形態について説明をした。しかし、本発明はこれらの記述に限定されるものではない。
【００４５】
前述の実施の形態に関して、当業者が適宜設計変更を加えたものも、本発明の特徴を備えている限り、本発明の範囲に包含される。
【００４６】
例えば、オストメイト用汚物流し１に設けられる各要素などの形状、寸法、材質、配置などは、例示したものに限定されるわけではなく適宜変更することができる。
【００４７】
また、前述した各実施の形態が備える各要素は、可能な限りにおいて組み合わせることができ、これらを組み合わせたものも本発明の特徴を含む限り本発明の範囲に包含される。
【図面の簡単な説明】
【００４８】
【図１】本発明の実施の形態に係るオストメイト用汚物流しを例示するための模式斜視図である。
【図２】ボウルを例示するための模式図である。
【図３】図２におけるＡ−Ａ矢視断面図である。
【図４】比較例に係るボウルを例示するための模式断面図である。
【図５】水栓を例示するための模式斜視図である。
【図６】フラッシュバルブを例示するための模式図である。
【符号の説明】
【００４９】
１  オストメイト用汚物流し、２  ボウル、３  水栓、４  液体石鹸供給器、５  操作部、７  トイレットペーパーホルダー、８  リップ部、９  排水部、１０  前面、１１  空間、１２ａ  側面、１２ｂ  側面、１３  封水部、１５  傾斜面、１６  リム部、１６ａ  案内部、１６ｂ  噴出口、１７  ホース、１８  水栓取り付け部、１９  吐水ヘッド、２０  ヘッド部、２１  フラッシュバルブ、２２  バキュームブレーカ、２３  水配管、２４  汚物流し用水配管
【図１】
2008284044.tif 000003
【図２】
2008284044.tif 000004
【図３】
2008284044.tif 000005
【図４】
2008284044.tif 000006
【図５】
2008284044.tif 000007
【図６】
2008284044.tif 000008
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
多目的トイレに備えられるオストメイト用汚物流しであって、
下部に封水部を有するボウルと、
前記ボウルの上部開口付近の内壁に設けられた水栓と、
を備え、
前記ボウルの開口縁部にリム部が設けられ、
前記リム部は、前記ボウルの開口端に向けて拡開した内壁面を有し、
前記内壁面には、前記ボウル内に噴出された水の旋回流を形成させる案内部が設けられていること、を特徴とするオストメイト用汚物流し。
【請求項２】
前記水栓は、吐水ヘッドと、
前記吐水ヘッドに接続された可撓性のホースと、
前記ホースが収納される水栓取り付け部と、を備え、
前記ホースが前記吐水ヘッドとともに前記水栓取り付け部から引き出され、前記ボウルの上部開口付近で前記吐水ヘッドから吐水をさせる場合において、前記ホースは、前記封水部の封水に触れない長さであること、を特徴とする請求項１記載のオストメイト用汚物流し。
【請求項３】
前記ボウルの前面は、下方になるに従い前記前面と対向する側の面に近づくように傾斜していること、を特徴とする請求項１または２に記載のオストメイト用汚物流し。
【請求項４】
前記ボウルの側面は、鉛直線に対して略平行な平面であること、を特徴とする請求項１〜３のいずれか１つに記載のオストメイト用汚物流し。
【請求項５】
前記ボウルの前面と対向する側の面には、開口縁部に連接する傾斜面が設けられ、前記傾斜面には前記水栓を取り付けるための孔が設けられていること、を特徴とする請求項１〜４のいずれか１つに記載のオストメイト用汚物流し。
【請求項６】
前記傾斜面には、前記ボウル内に水を噴出させるフラッシュバルブの操作部が設けられていること、を特徴とする請求項５記載のオストメイト用汚物流し。
【手続補正２】
【補正対象書類名】明細書
【補正対象項目名】０００６
【補正方法】変更
【補正の内容】
【０００６】
本発明の一態様によれば、多目的トイレに備えられるオストメイト用汚物流しであって、下部に封水部を有するボウルと、前記ボウルの上部開口付近の内壁に設けられた水栓と、を備え、前記ボウルの開口縁部にリム部が設けられ、前記リム部は、前記ボウルの開口端に向けて拡開した内壁面を有し、前記内壁面には、前記ボウル内に噴出された水の旋回流を形成させる案内部が設けられていること、を特徴とするオストメイト用汚物流しが提供される。
【手続補正書】
【提出日】平成20年4月30日(2008.4.30)
【手続補正１】
【補正対象書類名】特許請求の範囲
【補正対象項目名】請求項１
【補正方法】変更
【補正の内容】
【請求項１】
多目的トイレに備えられるオストメイト用汚物流しであって、
下部に封水部を有するボウルと、
前記ボウルの上部開口付近の内壁に設けられた水栓と、
を備え、
前記ボウルの開口縁部にリム部が設けられ、
前記リム部は、前記ボウルの開口端に向けて拡開した内壁面を有し、
前記内壁面には、前記ボウル内に水平方向に噴出された水の前記ボウルをほぼ一周旋回する旋回流を形成させるように前記ボウル内に向けて段状に突出した部分を有する案内部が設けられていること、を特徴とするオストメイト用汚物流し。
【手続補正２】
【補正対象書類名】明細書
【補正対象項目名】０００６
【補正方法】変更
【補正の内容】
【０００６】
本発明の一態様によれば、多目的トイレに備えられるオストメイト用汚物流しであって、下部に封水部を有するボウルと、前記ボウルの上部開口付近の内壁に設けられた水栓と、を備え、前記ボウルの開口縁部にリム部が設けられ、前記リム部は、前記ボウルの開口端に向けて拡開した内壁面を有し、前記内壁面には、前記ボウル内に水平方向に噴出された水の前記ボウルをほぼ一周旋回する旋回流を形成させるように前記ボウル内に向けて段状に突出した部分を有する案内部が設けられていること、を特徴とするオストメイト用汚物流しが提供される。